(57)【要約】【課題】従来のシャツやブラウスのずり上がりや、ズボンのずれ落ちを防止する衣類端部位置維持制御装具に使われている把持具は、把持力が弱く、耐久性にも課題があった。また従来の把持具を使った衣類端部位置維持制御装具は性能や取り扱いの簡易性に課題があった。【解決手段】本発明はくさび効果を利用した把持具を開発し、それを衣類端部位置維持制御装具に応用することで、従来の把持具やそれを使用した衣類端部位置維持制御装具の諸課題を解決するものである。【選択図】図１
2019119969.tif 000002
【特許請求の範囲】
【請求項１】
上把持部、主張力制御部、連結部、副張力制御部、下固定部から成る、衣類端部位置維持制御装具。
【請求項２】
挟持部と開口部、開口部に連続し入り口部にあるゲート、ストッパから構成され、入り口から端部にかけて天井がテーパー状に狭くなっている把持具に於いて、把持具の床からゲートの先端までの高さが、床からストッパの先端までの高さより高いことを特徴とする、くさび効果型把持具。
【請求項３】
挟持部と開口部、入り口部、ストッパ、ストッパ留めから構成され、入り口から端部にかけて天井がテーパー状に狭くなっている把持具に於いて、ストッパをストッパ留めで固定することを特徴とする、くさび効果型把持具。
【請求項４】
特許請求項2、3に於いて、把持具の入り口にガイドを設置したことを特徴とする、くさび効果型把持具。
【請求項５】
特許請求項2、3に於いて、W1をストッパの左端から、接続リングのリング径を含んだ右端までの距離、W2を開口の幅、h1を接続リングの高さ。h2をテーパー状天井の最大の高さとしたときに下記の条件を満たすことを特徴とする、くさび効果型把持具。
W1＞W2かつh1＞h2
【請求項６】
特許請求項2、3項に於いて、下固定部を平面の上に置いたとき、その外装が平面と最初に接触する点を接点とし、接点を含む断面の形状が、曲面で、接点を起点として全方向に対し、平面から徐々に離れていく外装形状であることを特徴とする、くさび効果型把持具。
【請求項７】
特許請求項3に於いて、把持具本体の中央部に先端部が屈曲し、穴の開いた突起があり、その穴を貫通したセットひもを、突起部でストッパ留めを使い位置決めすることを特徴とする、くさび効果型把持具。
【請求項８】
特許請求項2に於いて留めひもの長さをt1、セットひもの長さをt2とし、ストッパの半径をr1、ストッパが把持具本体に挿入可能なリングの中心点からガイド入り口までの最短距離をt3とした時、下記の条件を満たすことを特徴とする、くさび効果型把持具。
t1+t2-r1＞t3  かつ t1＞t2  
【請求項９】
特許請求項1に於いて、一箇所で同時に上把持部の全部の把持具の張力を調整することが可能なことを特徴とする、衣類端部位置維持制御装具。
【請求項１０】
特許請求項1に於いて、把持具追加機能を備えることを特徴とする、衣類端部位置維持制御装具。
【請求項１１】
特許請求項1に於いて、装具の少なくとも一箇所に、一動作で衣類端部位置維持制御装具を解除する機構を備えることを特徴とする、衣類端部位置維持制御装具。
【請求項１２】
特許請求項1に於いて、下固定部はTの文字の形をしたベルトであり、縦ベルトと横ベルトに雌雄が相反する面ファスナーがそれぞれに設置されており、縦ベルトが横ベルトの面ファスナーと重なる幅をL1、横ベルトが縦ベルトの面ファスナーと重なり作る長方形の最大辺の長さをL2とした時に下記の条件を満たすことを特徴とする、衣類端部位置維持制御装具
L2＞L1
【請求項１３】
特許請求項1に於いて、主張力制御部のひもの両端部に把持具を配置する事を特徴とする衣類端部位置維持制御装具。
【発明の詳細な説明】
【技術分野】
【０００１】
本発明は、くさび効果型の把持具と、それを使ってシャツやブラウス、ズボンなどの衣服等の端部のずり上がり、ずれ落ちを制御して端部の位置を維持制御する装具に関する。
【背景技術】
【０００２】
シャツやブラウスのずり上がりやズボンのずれ落ちに関しては、従来例より公知の把持具が利用されてきた。図81はその詳細を示した図である。
図中Aの201はサスペンダークリップ、210はセット蓋、211は上側挟み歯、212は下側挟み歯を示している。
図中Bの213はガータークリップを示している。これもシャツ等の裾の把持に良く使われる部材である。214は固定ループ、215は挟み部である。実際にシャツの裾を固定する部材としてガータークリップ213を使用した例が公開されている（例えば特許文献1参照；detachable hose grips）
図中Cの216は合成樹脂等で作成された合成樹脂クリップを示し、217は押さえ蓋、218は上側挟み歯、219は二列の下側挟み歯の例が公開されている（例えば特許文献2 ）
【０００３】
まず、ずり上がりについて、詳しく説明する。シャツやブラウスの裾は、着た直後には、ズボンやスカートにしっかりと収まっているが、デスクワークや軽い運動など日常生活を行っているうちに、いつの間にか、ずり上がってしまう。これは接客や、制服で仕事を行っている人たち、更には普通のオフィスで働く人たちにも共通する課題である。
【０００４】
一般には、衣服のずり上がりに気が付いた時に、洗面所等でズボンのベルトを緩め、はみ出たシャツの裾をズボンの中に押し込み、またベルトを締めなおすという行為を必要としている。
しかし、公式行事等で直立不動で整列している時に、シャツがズボンからはみだしているのに気が付いても、対処できないというのが実情である。
【先行技術文献】
【特許文献】
【０００５】
【特許文献１】USP  2015/0135395
【特許文献２】特開2001-112516
【特許文献３】USP  9049895
【特許文献４】USP  9339071
【特許文献５】実開平6-59424
【発明の概要】
【発明が解決しようとする課題】
【０００６】
第1の課題として、従来例の把持具の一つであるサスペンダークリップ201は初期からクリップ力が弱く、また耐久性にも課題があった。図88に示すように、サスペンダークリップ201は使用を重ねるうちに、初めは破線で示す位置にあった上側挟み歯211が、次第に実線で示すような上側に変形して、クリップ力が低下するという課題を有していた。
【０００７】
また図89に示すように、別の把持具であるガータークリップ213の固定ループ214は、強い力が加わると図の実線で示すように切断することがあった。さらに、ゴム製の挟み部215は、耐久を重ねると次第に磨耗し、図の実線に示す位置まで溝が削れて、シャツを固定ループ214でしっかりと保持できなくなるという課題があった。更にはガータークリップ213は逆方向からの力が加わると、固定ループが簡単にはずれてしまうという課題もあった。
さらに図90で示す合成樹脂クリップ216は耐久が進むと、図の破線で示すように徐々に上下の挟み歯が磨り減ってくるという課題もあった。
【０００８】
そこで図91に示す、5のMYCARBON社製のデジタルはかりで各部材がどの程度の力にまで耐えられるか計測した。その方法は図92に示すように、各把持部材を厚さ250μmの綿のシャツの裾にセットした後、上記デジタルはかり5で引っ張り、把持部がシャツの裾から解除される時の力を測定するというものである。
結果は、サスペンダークリップ201が2.60Kg重印加の時に、木綿のシャツの裾からはずれた。このとき布の表面には引っかき傷が発生した。
【０００９】
ガータークリップ213は8.09Kg重まで耐えた後、固定ループ214が切れて破損した。ただしガータークリップ213は力がかかる向きと反対方向に10ｇ重の力がかかると、すぐにシャツの裾はガータークリップ213から解除されてしまった。
合成樹脂クリップ216は2.23Kg重印加の時に、木綿のシャツの裾からはずれた。このとき布の表面には引っかき傷が発生していなかったが、3種類の中では、把持力が一番弱かった。
【００１０】
第二の課題はずり上がり、ずれ落ち対策の効果が少ない、続かないという課題があった。衣類端部位置維持制御装具を購入した直後からあまりはっきりとした効果がなく、耐久性にも課題があった。
【００１１】
第三の課題はシャツのずり上がりの量を容易に変更することが出来ないことである。一旦衣類端部位置維持制御装具の長さを設定しシャツの引っ張り力を決めると、その後の変更がわずらわしい。シャツ全体にかかる張力を一度にすばやく変更するようなことは出来なかった。
【００１２】
本発明はこのような従来例の技術が有していた課題を解決しようとするものであり、把持力が大きく、耐久性の高いくさび効果型把持具を提供すると同時に、それを使ってシャツやブラウス、ズボンなど衣服の端部のずり上がり、ずれ落ちを制御する衣類端部位置維持制御装具を実現することを目的とする
【課題を解決するための手段】
【００１３】
本発明の手段は、ゆれ動く、円筒状も含むシート材の端部をくさび効果型把持部材で強力に把持することで、そのシート材のずり上がりやずれ落ち等の望外の動きを制御するものである。
【００１４】
第一の課題解決手段は、衣類端部のずり上がりやずれ落ちの衣類端部位置維持制御装具に使われている従来例の把持具の把持力が弱い点に関しては、代替品として新たにくさび効果型把持具を用いることとした。
第二の課題解決手段は、ずり上がりやずれ落ち対策の効果があまり見えない対策として、ずり上がりには把持具の数を容易に増減できる構成、ずれ落ちに対してはくさび効果型把持具を衣類端部位置維持制御装具に用いることで対処した。
第三の課題解決手段は、シャツのずり上がりの量を容易に変更することが出来ない対策として、衣類端部位置維持制御装具の一個所で全ての上把持具にかかる張力を調整できる構成にすることで対処した。
【００１５】
第一の課題解決手段による作用は次の通りである。すなわち、くさび効果型把持具を開発することにより、従来例把持具では課題であった把持力や耐久性の課題が克服され、シャツのずり上がり制御装具やズボンのずれ落ち制御装具の把持具として代替できるようになった。
第二の課題解決手段による作用は次の通りである。すなわち、ずり上がりに対しては把持具の数を容易に増減できるため、装着者の要望に合わせて、把持具の数を増減できるようになった。ずれ落ちに対しては把持具にくさび効果型把持具を用いることでずれ落ちに対し、十分に機能するようになった。
第三の課題解決手段による作用は次の通りである。すなわち、一個所で全ての上把持具にかかる張力を調整できる構成にしたため、午前や午後、もしくは時間帯で張力の変更をすることが可能になった。
【発明の効果】
【００１６】
本発明の効果は、ゆれ動く、円筒状も含むシート材の端部がくさび効果型把持部材で強力に把持することで、そのシート材のずり上がりやずれ落ち等の望外の動きを制御することが可能になり、把持具や衣類端部位置維持制御装具の性能が飛躍的に向上した。
【００１７】
第一の課題解決手段による効果は次の通りである。すなわち、くさび効果型把持具を開発することにより、従来例把持具では課題であった把持力や耐久性の課題が克服され、シャツのずり上がり制御装具やズボンのずれ落ち制御装具の把持具として機能を満足する把持具を得ることができた。
【００１８】
第二の課題解決手段による効果は次の通りである。すなわち、ずり上がりに対しては、把持具の数を容易に増減できるため、装着者の要望に合わせて、把持具の数を増減でき、利便性が高まった。ずれ落ちに対してはくさび効果型把持具を用いることで把持具としての機能が高まり、その結果これら衣類端部位置維持制御装具の性能を向上させることができた。
【００１９】
第三の課題解決手段による効果は次の通りである。すなわち、一個所で全ての把持具にかかる張力を調整できる構成にしたため、午前や午後、もしくは時間帯で張力の変更をすることが可能になり、衣類端部位置維持制御装具をしていても、より快適に過ごせるようになった。
【００２０】
また、公式行事等に参列している時など、身動きが制限されている場合、シャツのずり上がりに気が付いた時、お腹をへこますだけでシャツを所定の位置に戻すことができるようになった。  
更には、トラックの荷台シートやテントの端部の係留等にも、シートに穴を開けずに取り付けることができ、張力の調整もや設定変更も簡単に使う事ができる効果も在る。
【図面の簡単な説明】
【００２１】
【図１】本発明の衣類端部位置維持制御装具実施例1の全体図
【図２】実施例1を実装した時の側面図
【図３】実施例1を実装した時の正面図
【図４】実施例1の使用方法の説明図
【図５】ずり上がりの原因の説明図
【図６】実施例1で把持具数を増やした場合の図
【図７】把持具本体の追加パーツセット示す図
【図８】把持具の数が1〜3個の場合の実装側面図
【図９】左右兼用の衣類端部位置維持制御装具実施例1の片側1セットの全体図
【図１０】前把持具、横把持具、後把持具を示す図
【図１１】前把持具の全体図
【図１２】前把持具の平面、正面、側面図
【図１３】前把持具の図12のA-A線図
【図１４】ストッパの平面、正面、側面図
【図１５】前把持具をシャツにセット時の平面図
【図１６】前把持具をシャツにセット時の図15のA-A、B-B、C-C線図
【図１７】前把持具をシャツにセット時の図15のD-D線図
【図１８】たるみの説明、把持具2個実装の側面図
【図１９】たるみの説明、把持具3個実装の側面図
【図２０】たるみの説明、前把持具をシャツにセット時の平面図
【図２１】たるみの説明、張力消滅前後の断面図
【図２２】ストッパ動きの説明、先端断面矩形ゲートの図20のA-A線図
【図２３】ストッパ動きの説明、テーパーゲートの図30のA-A線図
【図２４】ストッパ動きの説明、突起ゲート。図15のD-D線図
【図２５】突起ゲートの定義説明。図15のD-D線図
【図２６】横把持具の全体図
【図２７】横把持具の平面、正面、側面図
【図２８】横把持具の図27のA-A線図
【図２９】後把持具の全体図
【図３０】後把持具の平面、正面、側面図
【図３１】後ろ把持具の図30のA-A線図
【図３２】後把持具の条件説明用の平面、正面、側面図
【図３３】ストッパと把持具本体のサイズの関係を示す図
【図３４】前把持具を厚いシャツにセット時の図15のD-D線図
【図３５】上把持具セット操作説明図
【図３６】主張力制御部を示す図
【図３７】八の字対策の主張力制御部の調整方法を示す図
【図３８】連結部を示す図
【図３９】連結部とその外装を示す図
【図４０】連結部のより戻しによる痛み緩和を示す図
【図４１】副張力制御部を示す図
【図４２】副張力制御部の保持ゴムバンドを示す図
【図４３】下固定部全体図を示す図
【図４４】下固定部の平面、正面、側面図
【図４５】下固定部の図47のA-A線図
【図４６】外装がないと痛みが発生する説明図
【図４７】外装検討結果の一覧を示す図
【図４８】下固定部を靴下にセット時の平面図
【図４９】下固定部を靴下にセット時の図51のA-A、B-B、C-C線図
【図５０】下固定部を靴下にセット時の図51のD-D線図
【図５１】下固定部のセット操作説明図
【図５２】実施例2のくさび効果型把持具は従来の衣類端部位置維持制御装具に使えることを示す図
【図５３】実施例3のくさび効果型把持具はサスペンダーに使えることを示す図
【図５４】コードロックサスペンダーのくさび効果型把持具を示す図
【図５５】コードロックサスペンダーのくさび効果型把持具の断面図を示す図
【図５６】コードロックサスペンダーのくさび効果型把持具の平面、正面、側面図
【図５７】コードロックサスペンダーのくさび効果型把持具の図56のA-A線図
【図５８】その他の実施例1-1-1  ストッパにゴム板追加の平面、正面、A-A線図
【図５９】その他の実施例1-1-2  くさび効果型把持具本体天井にゴム板を設置した場合の平面、正面、側面図
【図６０】その他の実施例1-1-2  くさび効果型把持具本体天井にゴム板を設置した場合の図62のA-A線図
【図６１】その他の実施例1-1-3  組み合わせ色々
【図６２】その他の実施例1-2  副張力制御部の正面図と側面図
【図６３】その他の実施例1-3-1  靴下のゴム部が厚い場合、その部分を避けて把持具本体を装着した時の断面図
【図６４】その他の実施例1-3-1  セットひも、留めひもの関係
【図６５】その他の実施例1-3-2  コードロックのくさび効果型把持具を下固定部に使用した時の全体図
【図６６】その他の実施例1-3-2  図68を靴下にセットした時の断面図
【図６７】その他の実施例1-3-2  図68の平面、正面、側面図
【図６８】その他の実施例1-3-2  図70のA-A線図
【図６９】その他の実施例1-3-3  フックで固定するタイプのくさび効果型把持具の全体図
【図７０】その他の実施例1-3-3  図69の平面、正面、側面図
【図７１】その他の実施例1-3-3  使い方説明図
【図７２】その他の実施例1-3-4  下固定部ベルトタイプ・初期タイプ
【図７３】その他の実施例1-3-4  図72の実装図
【図７４】その他の実施例1-3-4  下固定部ベルトタイプ
【図７５】その他の実施例1-3-4  図77のA-A線図
【図７６】その他の実施例1-3-4  図77の別の角度から見た図
【図７７】その他の実施例1-3-4  図77の実装図
【図７８】その他の実施例1-3-4  図77の足の大きな人の実装図
【図７９】その他の実施例2-1    くさび効果型把持具をサスペンダーとして用いた図
【図８０】その他の実施例2-2    図82の外装がない場合
【図８１】従来例1  公知の把持具の図
【図８２】従来例1  公知の衣類端部位置維持制御装具の実装側面図
【図８３】従来例1  図82の正面図
【図８４】従来例2  公知の衣類端部位置維持制御装具の実装側面図
【図８５】従来例2  図84の正面図
【図８６】従来例3  公知の衣類端部位置維持制御装具の実装側面図
【図８７】従来例3  図86の正面図
【図８８】課題1  サスペンダークリップ
【図８９】課題1  ガータークリップ
【図９０】課題1  合成樹脂クリップ
【図９１】課題1  把持力測定器
【図９２】課題1  把持力測定方法
【発明を実施するための形態】
【００２２】
以下、本発明の実施の形態を説明する。まずシャツやブラウスのずり上がりに対応した衣類端部位置維持制御装具の全体像を説明し、その最初にくさび効果型把持具の詳細を説明する。次いでの全体像を説明する中で従来の衣類端部位置維持制御装具の課題をどのように解決して行ったかを詳細に解説し最後にズボンのずれ落ちに対応した衣類端部位置維持制御装具の説明も行う。
【実施例】
【００２３】
図1は本発明の衣類端部位置維持制御装具の実施例を示す図である。100から500は装着者の右側装具である。100は上把持部、200は主張力制御部、300は連結部、400は副張力制御部、500は下固定部である。1100から1500は装着者の左側装具である。衣類端部位置維持制御装具は左右兼用の構造になっている。
【００２４】
50は前把持具、60は横把持具、70は後把持具である。201はサスペンダークリップ、202は長さ調整用コードロック、203は張力調整用コードロック、204はナスカンである。1は張力調整用のひもで、表面を繊維で編みこまれた直径3.6mm、長さ100cmのゴムひもを用いた。また1は麻ひも等の伸縮性の無いものであっても良い。
422は張力調整部400を足に固定するための固定環、517はした固定部500のストッパである。
左右兼用の1000番台の左側装具の部品も右側装具の説明と同じである。
【００２５】
このような構造になっているので、装着者は把持具50、60、70にかける張力を、張力調整用コードロック203の一個所で行うことが出来る。更に、装着者が如何なる体勢をとっても、各把持具にかかる張力は、張力調整用のひも1がリングの中を自由に移動出きるので、均一化する事が出きる。
【００２６】
図2は、衣類端部位置維持制御装具を装着した時の装着者にとっての右側面図である。2はシャツやブラウスなどのシート状のものや円筒状になったズボン等を示し、 2aはシャツ、2bは靴下、2cはズボン等を示す。4は足、105、125、145、は把持部のストッパを示す。図からも明らかなように、シャツ2aは3つの把持具で把持され、靴下2ｂも下固定部500のストッパ517でしっかり把持され、連結部300、固定環422で足に固定された張力調整部400を介してつながっていることが解る。
【００２７】
図3は、衣類端部位置維持制御装具を装着した時の正面図である。装着者から見て左側装具の1000番台の部品も右側装具の説明と同じである。図2、図3からも明らかなように、本実施例の衣類端部位置維持制御装具は、装着者の日常生活（トイレ、運動、正座、あぐら等）に全く影響が無いことがわかる。
【００２８】
図4は、本発明のくさび効果型把持具装を用いた、衣類端部位置維持制御装具を試用する際の説明図である。図中Aは、運動やデスクワークによってシャツがずり上がった状態を示す。この状態になったら図Bに示すように両手でズボンのベルトを掴む。この状態で図Cに示すようにお腹をへこます。すると衣類端部位置維持制御装具によって、ずり上がったシャツがズボンの中に引き戻される。最後に図Dに示すようにバンドから手を離せば終了である。慣れてくればバンドに手をかけなくても、お腹をへこますだけでシャツを戻すことができるようになる。
【００２９】
もし運動やデスクワークの間も常にシャツのずり上がりを防止したければ、 図3で示す張力調整用コードロック202を用いて張力を強めに設定すればよい。張力の調整は張力調整用のひも1を引っ張る又は緩める等して最適の位置で、コードロック202を使いロックすればよい。
【００３０】
ただし、あまり張力をかけすぎるとシャツが体に対してぴったりしすぎて肩が凝ることもある。そのような時は、デスクワークの時や運動中は多少シャツが出ても、必要な時にのみ、お腹をへこます方法でシャツのずり上がりを修正できる張力レベルに設定すればよい。
【００３１】
以上説明したように、装着者が必要に応じて、いつでも張力を調整できるというのは本発明の特徴のひとつである。
図5はずり上がりの原因を説明するものである。  図5はシャツを着た人を真上から見た図である。図中装着者にとって右側のC1〜C5はサスペンダークリップなどのシャツの裾を把持する把持具を示し、C1001〜C1005は左側把持具を示す。この時装着者は衣類端部位置維持制御装具を装着しているが、ズボンははいていない状態である。
【００３２】
Aは把持具を左右合計で2個装着した場合、Bは同じく4個、Cは6個、Dは8個、Eは10個の場合を示している。斜線で示すFの部分はそれぞれの時の、シャツが腰から離れることが出来る面積、つまり「遊び面積」を示している。シャツの遊び面積Fが大きいと、衣類端部位置維持制御装具を装着した時の体の自由度は大きくなり、肩は凝りにくくなり装着者は楽であるが、ずり上がりは発生しやすくなる。
【００３３】
逆に遊び面積Fが小さくなればなるほど、自由度は少なくなり窮屈になるが、ずり上がりは発生しにくくなる。
装着者にとって、時と場合によっては図中Aの場合のシャツの自由度、言い換えれば遊び面積Fが多きく、多少ずり上がりが発生しても楽なほうが良い場合もあるし、絶対にずり上がりが発生しては困るので、図中Eの場合を選択したいときもある。しかしながら従来例の技術では、簡単に把持部の個数を増減することは難しかった。
【００３４】
以上のことを踏まえ本発明人は、図6のに示すように、把持具の数を1から5個の衣類端部位置維持制御装具を作って検討を行ってみた。
図中Aは把持具が1個の場合、 Bは把持具が2個の場合、 Cは把持具が3個の場合、 Dは把持具が4個の場合、 Eは把持具が5個の場合を示している。80、90は追加用の把持具。連結部の320、323は追加用のリング。321、324は、追加用のより戻し。322、325は追加用のスナップをそれぞれ示している。                                                                  
【００３５】
図7は把持具の追加パーツセットを示している。161は把持具の本体、162はゲート、165はストッパを示している。172はより戻し外装、174は接続リング、175はより戻し、176は接続リングを示している。320は接続リング、321はより戻し、322は接続リングにつなげるためのスナップである。
図6、図7からも明らかなように、このセットを張力調整用のひも1に通すだけで、把持具の数を容易に追加することが出来ることがわかる。
【００３６】
図8において、Aは把持具1個、Bは2個、Cは3個の場合を示している。把持具1個の場合はシャツ2aの前後でずり上がりが目立ち、把持具2個の場合では横のずり上がりが目立ったので、本実施例では、以下把持具3個の場合で実施例の説明を続ける。繰り返しになるが、ずり上がり防止とシャツの自由度（着心地）はトレードオフの関係にあるので、それぞれ装着者の実情に合わせて選択すればよい。
【００３７】
図9は本実施例の装着者にとって右側に位置する衣類端部位置維持制御装具の例である。本衣類端部位置維持制御装具は左右兼用なので左右どちらにでも使用することが出来る。図中112、132、152はより戻しとその両端のリング部分を覆う為のより戻し外装である。
【００３８】
同じく310は連結部300、504は下固定部のより戻し外装である。これらのより戻し外装の目的は、より戻しやリングと張力調整用のひも1の間に体毛が巻き込まれることを防止するためのものである。
【００３９】
以下、上把持部100から順に、詳細に説明してゆく。
図10に於いてAは、前把持具50、Bは横把持具60、Cは後把持具70である。
【００４０】
図11で前把持具50を説明する。図中Aは前把持具50の全体図、Bはより戻し外装112部分の展開図である。101は把持具の本体、102はゲート、103は入り口、104はストッパ105とシャツ端部を挟んで対峙することで、把持力を強化するためのゴム板、105はストッパ、106は接続リング、107はセットひも、108は解除ひも、109はリング、110はかしめリング、111は両面テープ、112は外装、113は外装開閉用のタブ、114はリング、115はより戻し、116はリング、117は雌面ファスナー、118は雄面ファスナー、119はかしめリング。1は張力調整用のひも、203は張力調整用コードロックである。
【００４１】
この図からも明らかなように、装着者は左右各一個所の張力調整用コードロック203のボタンを矢印Ｃの方向に押すことだけで、矢印Ｄの方向に張力調整用のひも1を引いたり、緩めたりすることが出来る。その結果一個所で把持具101,121,141にかかる張力を容易に調整することが出来る。
【００４２】
図12では前把持具50の説明をする。図は前把持具50の本体101の平面図、正面図、側面図である。 101は把持具の本体、102はゲート、91は突起部、103は入り口、104はゴム板、105はストッパ、106は接続リング、107はセットひも、108は解除ひも、109はリング、 110はかしめリング、 111は両面テープを示す。
【００４３】
図でストッパ105と点185、186、187、188が作る天井に沿った曲面を開口とする。
185、186は把持具本体の天井のヘリがテーパー状に低くなって床と接する点である。188、187は天井のヘリの直線部分が終了する点であり、テーパー状天井の最大天井高さを示す点である。
【００４４】
図に於いて、開口の幅、線分185-186＝線分187-188＝8.0mmである。開口の長さは、線分188-185＝線分187-186=19.5mm、天井最高高さは点188＝点187＝8.5mm、この点から、床に下ろした垂線が床と交わる点から奥のゴム板の奥側の端までの距離は15mm、その部分の天井の高さは0.5mm、ゲート102の幅は15.5ｍｍ、厚さは0.9mm、底部分のゲートの長さは22.20mm、ゲートとしての可動部分の長さは突起部も含めて16.11mm、突起部91の長さは5mm、幅7.3mm、厚さは0.9ｍｍ。
ストッパ105の直径は18mm、厚さは0.33mm、高さ（ストッパ105平面に置いたときの床から接続リング32のトップまでの高さ）は10mm、接続リング146は直径1.13mm、107は直径が3mmの化学繊維で編みこまれた、セットひもで、108の解除ひもと一体ものであるが接続リング106の位置でカシメによって固定され、機能分離されている。109は外径が8mmで線径が1.5mmの鉄製のリングである。
【００４５】
把持具本体101は鉄板でできており、入り口部の幅は22.4mm、テーパーで薄くなった側は24.00mm、高さは約10.0mm、厚さは0.6mm、長さは34.01mm、ゴム板104は14mm×20mm×0.89ｍｍである。ゲート102も含めた把持具本体の長さは41.89mmである。
【００４６】
図13は図12のA-A線断面図をしめす。111はゲート102やゴム板104を把持具本体101に固定するための両面テープである。
図14はストッパの平面図、正面図、A-A線断面図である。 105はストッパ、106は接続リングである。
図15は凸型の先端形状のゲート102を持つ把持具をシャツ2aにセットした時の正面図である。91はゲート102の突起部、2aはシャツ、101は把持具本体、105はストッパを示す。
【００４７】
図16は図15のA-A線断面図、 B-B線断面図、 C-C線断面図である。 91はゲート102の突起部、 2はシャツ、101は把持具の本体、103は入り口、104はストッパ105とシャツ端部を挟んで対峙することで、把持力を強化するためのゴム板、105はストッパ、106は接続リング、109はリング、110はかしめリング、111は両面テープである。
【００４８】
図17は図15のD-D線断面図である。91はゲート102の突起部、 2はシャツ、101は把持具の本体、103は入り口、104はストッパ105とシャツ端部を挟んで対峙することで、把持力を強化するためのゴム板、105はストッパ、106は接続リング、109はリング、110はかしめリング、111は両面テープである。
【００４９】
図12〜17に示すような前把持具の構成にしたので、ストッパ105が把持具本体から飛べ出る事が全くなくなった。その原因を以下に詳細に説明する。まず凸型の先端形状を持つゲート102の形状設計根拠を示す。
【００５０】
図18は把持具が2個の場合、着席した直後の張力調整用コードストッパ203の位置を示したものである。起立していた時は図6のBに示すようにリング301は張力調整用のひも1の中央部分にある。しかし、着席すると同時に張力調整用のひも1がリング301の中を移動するので、リング301は張力調整用コードストッパ203の近くに移動する。その結果、2個の把持具には常に均一化された張力がかかることになる。
【００５１】
ところが図19に示すように把持具を3個に増やすと、着席した直後には張力調整用コードストッパ203は図19の図中Aの矢印で示す位置にあり、少しのタイムラグの後図中Bの矢印で示す位置に移動する。これは把持具を1つ増やすことでリングの数が2個増加し、張力調整用のひも1がリング内を移動する時の抵抗が大きくなるためである。
【００５２】
張力調整用コードストッパ203が図19の図中Aで示す位置から図中Bで示す位置に移動するまでのタイムラグの間、前把持具50のストッパ105には全く張力が印加されない時間が発生する。
図20は検討初期の把持具の正面図である。2はシャツ、101は把持具本体、93は先端断面矩形ゲート、105はストッパを示している。
【００５３】
図21は図20に於いて、ストッパ105が図中Aの矢印Eで示す位置から図中Bの矢印Fで示す位置へ移動する様子を示している。
図21のAは図20の図中AのA-A線断面図、Bは図20の図中BのA-A線断面図を示している。2はシャツ、101は把持具本体、93は先端断面矩形ゲート、105はストッパ、107はセットひもを示している。
図21のAに於いてストッパ105はセットひも107によってCの矢印で示す方向とDで示すシャツ2aからの力で引かれ、シャツ2aをくさび効果で挟んだ状態で安定している。
【００５４】
しかし装着者が急に着席すると図21のBに示すように、矢印Cで示す力は突如として消滅し、シャツ2aによる力Dだけになるので、ストッパ105は先端断面矩形ゲート93のほうに引っ張られることになる。
【００５５】
図22はストッパ105とゲート102とシャツ2aの部分の図21のストッパとゲート部分の拡大図である。101は把持具本体、 93は先端断面矩形ゲート、 105はストッパ、 2はシャツ、111はゲート102を把持具本体101に固定するための両面テープである。
【００５６】
図22に於いて、把持具本体101の天井断面をY軸とし、その軸と直交する軸をX軸とする。X軸とY軸が交差する点を原点とし、原点に対し左側のX軸をプラス、右側をマイナスとする。またストッパ105とゲート102が対峙した時に、相手側に一番近い点で、把持部本体の床面から一番高くなる部分を、ストッパ105側はPs点、ゲート102側はPg点とする。さらにPs点のX方向の原点からの距離をHs、Pg点の距離をHg3とする。この場合Hsはシャツ2aの厚さと等しい。図からも明らかなようにHg3-Hs＜0である。
【００５７】
図22に於いて、シャツ2aは常に矢印Aの力が働いている。これは図に示すシャツ2aのZ字を傾斜させたような断面をIの字にするような力が加わっていることを示している。この力はストッパ105を押し出す矢印Eの力になっている。
またHg3-Hs＜0の関係があるのでストッパ105の先端は先端断面矩形ゲート93の先端を矢印Bの向きにお辞儀をさせようとする方向に力がかかる。その結果ストッパ105は把持具本体101の外に押し出されてしまうことがあった。
この現象はシャツ2aの厚さが薄いほど｜Hs｜も小さくなるので、発生しやすい。
【００５８】
この対策として本出願人は図23に示す把持具を実用新案登録第3211560号で開示している。この時ストッパ105とゲート102が対峙している相手側に一番近い点で、把持部本体の床面から一番高くなる部分を、ストッパ105側はPs点、ゲート102側はPg点とする。さらにPs点のX方向の原点からの距離をHs、Pg点の距離をHg4とする。この場合Hsはシャツ2aの厚さと等しい。
【００５９】
図23ではいくらHsの小さい薄いシャツ2aでもゲート102の先端はテーパー状になっているためHg4＝0となる。その結果Hg2-Hs＞0となり、ストッパ105の先端がゲート102を矢印Bの方向にお辞儀させることは無い。
【００６０】
しかし装着者が着席した直後、ストッパ105が完全にフリーになり、ゲートの近くまでシャツ2aに押されて移動し、同時に座った弾みでお腹の脂肪が下がり、シャツ2aへの圧力が急激に増加、矢印Aのように大きな力がシャツ2a加わることもある。そのような場合にはシャツ2aの断面はZ字形状から真っ直ぐなIの字状にぴんと張るため、ストッパ105をシャツ2aから押し出す矢印Eの力が強まり、同時にゲート102へも矢印Bの力が働き、ストッパ105がゲート102を乗り越えて、外へ出てしまうことも稀に発生した。
【００６１】
この現象は、前把持具50のみで発生している。その理由は、横把持具60や後把持具70のストッパ105へは常に幾ばくかの張力が印加されており、ストッパ105がゲート102側に移動することが無い。また、装着者が着席した時に、張力調整用のひも1の移動が遅れて完全にストッパ105に張力が印加されない時間帯が発生しない等が上げられる。その結果、横把持具60や後把持具70ではこの課題は発生しない。
【００６２】
そこで本出願人は凸型の先端形状を持つゲート102を提案する。以下に突起ゲート102の詳細説明を以下に行う。  
図24は図15のD-D線断面図の一部拡大図である。 91はゲート102の突起部、 101は把持具本体、 105はストッパ、 2aはシャツである。
【００６３】
図に於いて、シャツ2aには常にストッパ105を押し出そうとする矢印Aの力が働いている。矢印Aの力は、図に示すシャツ2aの断面をZ字を傾斜させたような形から、Iの字の形に変化させる力である。ストッパ105にも、シャツ2aから矢印Eの力が働いている。
【００６４】
しかし図24の場合は、いくら矢印Aの力が大きくて、ストッパ105を押し出そうとする矢印Eの力が大きくても突起部91が大きくオーバーハングしているのでストッパ105の先端がゲート102を乗り越えることが物理的に出来ない。
矢印AやEの力がいくら大きくなっても突起部91の肩と把持具本体101の天井との接点Fに力が加わるのみで矢印Bの方向には力が加わることは無いのである。
【００６５】
図25は図24においてシャツ2aが無い場合のD-D線断面図である。これは上記の説明をシャツ2aの厚さに関わらず普遍的なものにするため、ストッパのPs点の位置が把持具本体の床から一番高くなる、シャツ2aが無い場合で説明する。91はゲート102の突起部、101は把持具の本体、102はゲート、105はストッパである。
【００６６】
図25に於いて、把持具本体101の天井断面をY軸とし、その軸と直交する軸をX軸とする。X軸とY軸が交差する点を原点とし、原点に対し左側のX軸をプラス、右側をマイナスとする。またストッパ105とゲート102が対峙した時に、相手側に一番近い点で、把持部本体の床面から一番高くなる部分を、ストッパ105側はPs点、ゲート102側はPg点とする。さらにPs点のX方向の原点からの距離をHs、Pg点のX方向の原点からの距離をHgとする。
【００６７】
このときストッパ105の直径が18mmの円形で、厚さ0.33mm、開口幅8.0mm、床から天井までの高さが6.7mmである。
ストッパ105が円形でシャツ2aが無い場合、Hsは若干プラス側になる。
【００６８】
1）Hg1は先端部に突起部91があるゲート102の場合。
Hg1-Hs>0
2）Hg2は凸型ゲートではあるが、Pg点がPs点より低い場合は、ゲートがストッパ105を乗り越えてしまう可能性がある。
Hg2-Hs<0
3）Hg3はゲート93の先端形状が矩形の場合。Hg3はマイナスになるので
Hg3-Hs<0
4）Hg4はゲート102の先端形状がテーパーの場合。（本出願人が実用新案登録第3211560号で開示した件）
Hg4-Hs=0
従って、ストッパ105がゲート102の突起部91のオーバーハングを乗り越えられない条件はHg-Hs>0となる
【００６９】
図26を使い横把持具60の説明を行う。図中のAは前把持具60の全体図である。Bはより戻し外装132部分の展開図である。121は把持具の本体、122はゲート、123は入り口、124はゴム板、125はストッパ、126は接続リング、127はセットひも、128は解除ひも、129はリング、130はかしめリング、131は両面テープ、132はより戻し外装、133はより戻し外装開閉用のタブ、134はリング、135はより戻し、136はリング、137は雌面ファスナー、138は雄面ファスナー、139はかしめリング。1は張力調整用のひもである。
【００７０】
図27は前把持具60の本体121の平面図、正面図、側面図である。 121は把持具の本体、122はゲート、123は入り口、124はゴム板、125はストッパ、126は接続リング、127はセットひも、128は解除ひも、129はリング、131は両面テープを示す。
【００７１】
図28は前図のA-A線断面図をしめす。124はストッパ125とシャツ端部を挟んで対峙することで、把持力を強化するためのゴム板である。図27、28で示す把持具60のゴム板124以外は本出願人が実用新案登録第3211560号で開示した把持具を使用した例である。横把持具時具60は装着者の体の両側面に配置されているためセットひも127に常に張力がかかるので、装着者どのような動きをしてもはずれることは無い。
【００７２】
図29を使い後把持具70の説明を行う。図のAは後把持具70の全体図である。Bはより戻し外装152部分の展開図である。141は把持具の本体、142はゲート、143は入り口ガイド、144はゴム板、145はストッパ、146は接続リング、147はセットひも、148は解除ひも、149はリング、150はかしめリング、151は両面テープ、152はより戻し外装、153はより戻し外装開閉用のタブ、154はリング、155はより戻し、156はリング、157は雌面ファスナー、158は雄面ファスナー、159はかしめリング。1は張力調整用のひもである。
【００７３】
図30は前把持具70の本体141の平面図、正面図、側面図である。 141は把持具の本体、142はゲート、143は入り口ガイドで天井になる部分を外側に折り曲げてアール形状にしたものである、144はストッパ145とシャツ端部を挟んで対峙することで、把持力を強化するためのゴム板、145はストッパ、146は接続リング、147はセットひも、148は解除ひも、149はリング、151は両面テープを示す。
【００７４】
図31は前図のA-A線断面図をしめす。後把持具時具70は装着者の体の後面に配置されているためシャツ2aを着た状態で装着者が目で確認しながら把持具70をセットすることは難しい。そこで入り口ガイド143を配置した。その結果、装着者がシャツ2aを着たままでも手探りでストッパ145を把持具本体141にセットすることが容易になった。また、シャツ2aを着る前にあらかじめセットする場合でも、入り口ガイド143にストッパ145を沿わせて把持具本体141にセットすればよいので非常に簡単に出来るようになった。
【００７５】
次いで課題の項で説明したのと同じ方法で本実施例の把持具の把持力を確認した。把持具50、60、70ゲートや入り口ガイドの違いはあるが、くさび効果型把持部分はみな共通しているのでデータはほぼみんな同じ値を示した。その中から代表して把持具50で測定した結果を以下に示す。
【００７６】
図91に示す、MYCARBON社製のデジタルはかり5で計測した。その方法は図92に示すように、部材を厚さ250μmの綿のシャツの裾にセットした後、上記デジタルはかり5で引っ張り、把持部がシャツの裾から解除される時の力を測定するというものである。その他の条件はストッパ105はアルミ製で直径は18.0mm、厚さ0.33mm。開口の幅は8.0mm、長さは19.5mmである。
【００７７】
結果は把持具50に8.90Kg重印加したところでアルミ製のストッパ105が接続リング106を中心に二つに折れ、把持具本体101からはずれた。この時布の表面に引っかき傷等の変化は何も認められなかった。
次にアルミ製のストッパ105に代え、直径15mm、厚さ2mmの合成樹脂製のボタンの穴に直径0.5mmのピアノ線を通してループを作り、そこをデジタルはかり5で引いた。その結果13.8Kg重印加時に布が破れた。合成樹脂製のボタンや把持具本体101には変化は無かった。  
【００７８】
一方、課題の項でも説明したが、サスペンダークリップ201が2.60Kg重印加の時に、木綿のシャツの裾からはずれた。このとき布の表面には引っかき傷が発生していた。
ガータークリップ213は8.09Kg重まで耐えた後、固定ループ214が切れて破損した。ただしガータークリップ213は力がかかる向きと反対方向に10ｇ重の力がかかると、すぐにシャツの裾はガータークリップ213から解除されてしまった。
【００７９】
以上の結果を鑑みるに、本くさび効果型把持具はシャツのずり上がりやズボン2cのずり下がりを制御する上で十分な把持力を有しているといえる。更に布が破れる前に、ストッパがー変形し把持が解除されることも衣類に対してはやさしいといえる。
【００８０】
図32、33では開口と接続リングの高さ、把持具本体の最大天井高さとの関係を示す。
図32は把持具本体141の平面図とA-A線断面図及びB-B線断面図を示す。点194、195、196、197が作る天井に沿った曲面は開口、146は接続リング、141は把持具本体の最大天井高さ、143はストッパ145が141の把持具本体に入りやすいようにするための入り口ガイド、144はくさび効果を向上させるためのゴム板である。
【００８１】
194は把持具本体の天井のヘリがテーパー状に低くなって床と接する点である。195も同じく反対側の天井のへりが床と接触する点である。196は天井のヘリの直線部分が終了する点であり、テーパー状天井の最大天井高さを示す点である。197も同じく反対側の天井のヘリの直線部分が終了する点であり、テーパー状天井の最大天井高さを示す点である。
【００８２】
W1はストッパ145の左端から、接続リング146のリング径を含んだ右端までの距離、W2は点194、195、196、197が作る開口の幅である。h1は接続リング146の高さ。h2は点196、197で示されるテーパー状天井の最高さである。
【００８３】
W1、W2、h1、h2には下記の関係を満たさなければならない。
1）W1＞W2
2）h1＞h2
【００８４】
図32ではストッパ145は直径18mm、接続リング146は直径1.13mm、開口W2は8mm。h1は10.0mm、h2は8.5mm、従ってW1＝ストッパ105径/2+接続リング径/2=9+0.565＝9.565ｍｍ
以上をまとめると
W1=9.565
W2＝8
ｈ1＝10.0
ｈ2＝8.5
従って上記条件W1>W2、h1>h2を満たしているのでストッパ145が開口から飛び出すことは物理的にできない。
【００８５】
図33を使ってW1、W2、h1、h2の関係を導出した過程を説明する。図中Aは本出願人が別途出願した実用新案登録第3211560号で開示した把持具の本体の断面図である。BからEは把持具本体101の断面図を示している。
101、141は把持具本体、105、145はストッパ、106、146は接続リング、2aはシャツやブラウス等、2bは厚手の靴下のゴム部等を示している。
【００８６】
図中Aで把持具本体101の断面はかまぼこ状をなしていた。シャツ2a等の比較的薄いシートなら問題なかったが図中Bのように厚手の靴下のゴム部2bを入れようとするとどうしても無理が出てくる。そこで斜線のFの部分を広げ天井をフラットにする必要が出てきた。もちろん天井は図面の手前から奥に向かってテーパー状になっている事は変わらない。
【００８７】
斜線Fの部分を広げた図がCである。これでかなり厚手のものも把持具本体に挿入できるようになったが、更にもっと容易に挿入できる方法を考えた結果、ストッパ145の直径をもっと小さくする方法を考えた。
その条件を図のDで示す。 W1はストッパ145の左端から、接続リング146のリング径を含んだ右端までの距離、W2は開口の幅である。
【００８８】
この図のDからも明らかなように、W1>W2であればストッパ145は開口から抜け出ることは出来ない。更に斜線部Gで示す空隙も出来るので、シャツ2aに限らず、厚手の靴下ゴム部2b等も、より容易に把持具本体に挿入することが出来るようになる。
【００８９】
更に図のEに示すように、h1を接続リング146の高さ、h2を点196、197で示されるテーパー状天井の最高さhmaxとしたとき、h1＞hmax＞h2の範囲で天井を更に高くすれば斜線Hで示す空隙は空隙Gより大きくなる。
以上が、厚手のシートでも容易に把持具本体に挿入することが出来る、ストッパ145と開口の条件である。
【００９０】
図34は厚い布を把持したときの様子を示す図である。図15に於いて、シャツ2aをセットした時の前把持具50のD-D線断面図である。図中2Aは通常の厚さの、点線で示される2Bは厚手のシャツを表している。図からも明らかなように、厚いシャツ2Bの場合でも、接続リング位置が106Aから106Bに移動することでしっかりと厚いシャツ2Bを挟持することができることが解る。
【００９１】
その結果、くさび効果も同様に発生することが図からも明らかである。より薄い布の場合は接続リング106の位置が逆に上がり、同じ理屈で強固な挟持力でシャツを係止することも説明できる。
【００９２】
図35で後把持具50の着脱方法を説明する。前把持具50、横把持具60、後把持具70とも、操作方法は基本的には同じである。矢印は動作の方向を示している。
まず左手親指と人差し指でストッパ105をシャツ2aの裾の部分出でくるむようにしてつまむ。この状態で矢印Aの方向にシャツ2aでくるんだストッパ105をゲート103から把持具本体101奥までしっかりと差し込み、つまんだストッパ105の周りのシャツ2aをゲートの中に入れてしまう。
【００９３】
次いでセットひも107を同じく右手の親指と人差し指で矢印Bの向きに引っ張り、ストッパ105とゴム板104でシャツ2aをしっかり把持させる。ゲート102にストッパ105周りのシャツ2aが挟まっていないことを確認してセット完了。シャツ2aに包まれたストッパ105は把持具本体101に収まり、外には出られなくなる。
【００９４】
ストッパ105を解除する場合はゲート102を右手の親指で押し倒し、矢印Cの向きに左手親指と人差し指でストッパ105をシャツ2aの裾の部分出でくるむようにしてつまんだ状態で引き出す。
図36の200は主張力制御部を示す。1は張力調整用のひもで、表面を繊維で編みこまれた直径3.6mm、長さ100cmのゴムひも。1は麻ひも等の伸縮性の無いものであっても良い。
【００９５】
201は張力調整用のひも1の端部をシャツ2aのヘリに固定するためのサスペンダークリップ、202は張力調整用コードロック、203はすべての把持具の張力を一度に調整するためのコードロック、204は後把持具70につながるナスカン、205は張力調整用のひも1の端部を固定するカシメ、206は張力調整用のひも1の反対側端部を固定するカシメ、207は抜け留めリング。L1からL4は連結部と把持部をつなぐアームである。
【００９６】
このような構成になっているために、前把持具50はL1と、横把持具60はL2、L3と後把持具70はL4とつながっている。従って張力調整用のひも1のコードロック203を調整するだけで、すべての把持具にかかる張力を同時に調整することが出来るのである。  
【００９７】
図37のAはシャツ2aの開き防止対策をとった場合。Bはとらない場合を示している。通常、衣類端部位置維持制御装具は体の側面に配置されているので装着した場合、Bで示されるように、シャツ2aの一番下のボタンから下の部分は衣類端部位置維持制御装具によって側面側に引っ張られて、八の字状に開いてしまう。お腹の周りがふくよかな装着者の場合、一番下のボタンより下のシャツ2aの部分がベルトより上に出てしまい、八の字がさらに目立つ場合がある。
【００９８】
その対策としてAに示すように、張力調整用のひも1の終端部にサスペンダークリップ201と張力調整用コードロック202を取り付け、シャツ2aの下端が開かないように張力を調整できるようにしたものである。サスペンダークリップ201とコードロック203の間の張力は、コードロック203とナスカン204の間にかかる張力に比べて十分小さいので、ここにはサスペンダークリップ201が使えるのである。もちろん本発明のくさび効果型把持具を設置しても良いことはいうまでもない。
【００９９】
また図からも明らかなように、サスペンダークリップ201、戻り留め207、張力調整用のひも1等は小用を足す時に邪魔にならない。また、本発明の衣類端部位置維持制御装具は体の側面に配置されているので、トイレで座る時に、下着を下ろす時から上げる時まで、一切邪魔にならない。
【０１００】
図38は連結部300の正面図と側面図を示す。
301、303、305、はリング、302、304、306はより戻しを示す。
図39は連結部300のより戻し外装ありの場合と、より戻し外装を開いた時の図である。
307はナスカン、310は木綿の布で作られたより戻し外装。311、312は雌面ファスナー、313、314は雄面ファスナーである。315は外装開閉用のタブである。
【０１０１】
連結部300のより戻し外装310は311〜314の面ファスナーで作られているので、3個所あるより戻しの動作を制限することなく、より戻し外装310でしっかりと連結部を囲うことが出来る。より戻し外装310の目的は、より戻しやリングと張力調整用のひも1の間等の可動部に体毛が巻き込まれるのを防止することを目的としている。
【０１０２】
図40はより戻し302や306の設置理由を示す。図中Aは現状を示しBはもしより戻し302が無い場合を示す。もしよし戻し302が無いと図中Bに示すように、リング31は足4の表面に対し垂直に立つことになる。その結果図中dで示す部分が足の表面に食い込むことになる。リング301の足4の表面の反対側はズボン2cの布があり、この布からも押さえつけられることになり、リングdの部分にりんぐ301は更に食い込み痛みが激しくなる。
【０１０３】
その対策として図中Bのリング301にところにより戻しを配置すると、より戻し302によってリング301は適度に回転し、足の表面に対し垂直に立つことなく、適度に傾いた状態になるのである。その結果、足4の痛みもなくなるのである。
【０１０４】
より戻し304の設置理由は、向きを気にせずに装着具をセットできるためである。仮にナスカン307の入り口部が足の表面を向いたとしても、ナスカン307はより戻し外装310で覆われているので、ナスカン307の入り口部の角で足4の表面を傷つける心配は無い。
【０１０５】
図41の400は副張力制御部の正面図と側面図を示すものである。
404は繊維にゴム繊維を混ぜて編んだ幅30mm、厚さ2mmのゴムバンド。401はゴムバンド404をつるす三角カン、402はゴムバンド404を一動作で解除するためのタブ、403はゴムバンド404を足に固定する保持ゴムバンドをとめるための安全ピン。405は下固定部500につなげるための三角カン、406は雄面ファスナー、407は雌面ファスナーである。
【０１０６】
このような構成になっているので装着者は身長に応じて雄面ファスナー406と雌面ファスナー407の位置を調節し、最適な張力を設定することが出来る。
【０１０７】
またここでもっとも重要なパーツはタブ402である。本発明の把持具は把持力が大きいので、万が一、シャツ2aに火が燃え移ったり、危険な化学薬品が付着したり、緊急に把持具を解除する必要性が発生しても、サスペンダークリップ201のように簡単に引きちぎるという訳にはいかない。
【０１０８】
そこでそのような緊急事態が発生した場合にはタブ402を引くだけの一動作で雄面ファスナー406と雌面ファスナー407を分離でき、衣類端部位置維持制御装具を解除できるのである。
衣類端部位置維持制御装具を解除した後は通常の手順で必要に応じてシャツ2aを脱ぎ、靴下2ｂを脱げばよいのである。
【０１０９】
また、この一動作解除機構は、面ファスナーの方式に限らず、また場所も副張力制御部に限らず、衣類端部位置維持制御装具のひも1を簡単に切断できる機構（不図示）を設けるなどして、衣類端部位置維持制御装具の他の部分に設けても良い。
【０１１０】
図42の423はゴムバンド404を足に固定するための保持ゴムバンドの全体図とA-A線断面図である。420は長さ調節用のエイトカン、421はベルトとベルトを接続させるためのZカン、422は幅15mm、厚さ1.2mmの繊維にゴム繊維を混ぜて編んだゴムバンドである。これが安全ピン403を介してゴムバンド404につながっている。
【０１１１】
安全ピン403はゴムバンド404上の何処にでも留めることが出来るので装着者は自分の好みに合った高さに、保持ゴムバンド421を、取り付けることが出来る。お勧め位置はひざ関節から5cm程度下の辺りが良い。また保持ゴムバンド423はエイトカン420のアジャスター機能を使って、好みの圧力で足に固定することが出来る。
【０１１２】
図43の500は下固定部のより戻し外装を開いた図を含めた全体図である。504はより戻し外装、505は雌面ファスナー、506は雄面ファスナー、507はより戻し外装504を開閉する時に使うタブ、509は510のセットひもをリング533に固定するためのかしめ、531は副張力制御部の三角カン405につながるナスカン、511は517のストッパの位置を固定するためのコードロック、512はセットひも510を通すためのリングである。
【０１１３】
513はアルミ製の直径が37.3mm、厚さが0.35mmの外装である。これは市販のくるみボタンセットとして販売されているものを使った。514はストッパ517が515の把持具本体に入りやすいようにするための入り口ガイド、516はくさび効果を向上させるためのゴム板、518はセットひも510と解除ひも520を519の接続リングに固定するためのかしめである。より戻し外装504は505,506の面ファスナーでしっかりと閉鎖されるので、より戻しの動作を制限することなく、しっかりと連結部を囲うことが出来る。
【０１１４】
より戻し外装504の目的は、より戻しやリング等の可動部に体毛が巻き込まれるのを防止することを目的としている。
図44は下固定部の平面図、正面図と側面図を示すものである。
【０１１５】
511は517のストッパの位置を固定するためのコードロック、512はセットひも510を通すためのリング、513は外装、514はストッパ517が515の把持具本体に入りやすいようにするための入り口ガイド、516はくさび効果を向上させるためのゴム板、518はセットひも510と解除ひも520を519の接続リングに固定するためのかしめである。
【０１１６】
521は把持具本体の天井のヘリがテーパー状に低くなって床と接する点である。522も同じく反対側の天井のへりが床と接触する点である。523は天井のヘリの直線部分が終了する点であり、テーパー状天井の最大天井高さを示す点である。524も同じく反対側の天井のヘリの直線部分が終了する点であり、テーパー状天井の最大天井高さを示す点である。
【０１１７】
525は床から入り口ガイド514が立ち上がる点である。526も同じく反対側の床から入り口ガイド514が立ち上がる点である。点521、522、523、524が作る天井に沿った曲面を開口528、点523、524、525、526が作る平面を入り口529と定義する。
【０１１８】
図45は前図のＡ-Ａ線断面図である。511は517のストッパの位置を固定するためのコードロック、512はセットひも510を通すためのリング、513は外装、514はストッパ517が515の把持具本体に入りやすいようにするための入り口ガイド、516はくさび効果を向上させるためのゴム板、518はセットひも510と解除ひも520を519の接続リングに固定するためのかしめである。
【０１１９】
521は把持具本体の天井のヘリがテーパー状に低くなって床と接する点である。522も同じく反対側の天井のへりが床と接触する点である。523は天井のヘリの直線部分が終了する点である。524も同じく反対側の天井のヘリの直線部分が終了する点である。
525は床から入り口ガイド514が立ち上がる点である。526も同じく反対側の床から入り口ガイド514が立ち上がる点である。
点521、522、523、524が作る天井に沿った曲面を開口528、点523、524、525、526が作る平面を入り口529と定義する。
【０１２０】
図46は外装513の無い場合を示した図である。511はストッパ517の位置を固定するためのコードロック、512はセットひも510を通すためのリング、514はストッパ517が515の把持具本体に入りやすいようにするための入り口ガイド、2bは靴下、4は足である。
外装513が無いと、靴下2bの端部を把持した場合、4リング512が足4の表面に対し垂直になる図中Aの部分で痛みが発生する。把持具本体515は靴下2bのゴム部からも足4の表面に向かって押さえつけられるので、装着していくうちに痛みは徐々に増加していった。
【０１２１】
図46は外装513の無い場合を示した図である。511はストッパ517の位置を固定するためのコードロック、512はセットひも510を通すためのリング、514はストッパ517が515の把持具本体に入りやすいようにするための入り口ガイド、2bは靴下、4は足である。
外装513が無いと、靴下2bの端部を把持した場合、4リング512が足4の表面に対し垂直になる図中Aの部分で痛みが発生する。把持具本体515は靴下2bのゴム部からも足4の表面に向かって押さえつけられるので、装着していくうちに痛みは徐々に増加していった。
【０１２２】
そこで把持具本体515に外装513を配置し、長時間装着していても痛みが発生しない形状を検討した。その結果の一覧を図47に示す。横の欄のAからFは検討した外装513の形状を示し、縦の欄は1は外装513の斜視図、2は平面図、3は正面図、4は痛みが発生したか否かの結果を○と×で表したものである。装着時、痛みが発生したら×、しなかったら○と判定した。
【０１２３】
Aの場合は、足4の皮膚表面と接する形状に角があり、この部分が皮膚表面と激しく接触し、短時間で痛みが発生したので×。
Bの場合は、接触面の形状は曲面ではあるが、皮膚表面から急激に離れていく構造になっており、その外装513のヘリのエッジで皮膚表面をこすり、これも痛みが発生して×。
Cは皮膚表面と接触する形状が曲面であり、外装513が皮膚表面から徐々に離れていく構成になっているが、皮膚表面に対し面接触となっているので、接触面の周りがエッジとなり、長時間装着していると痛みが発生したので×。
【０１２４】
Dに於いて、下固定部を平面の上に置いたとき、その外装が平面と最初に接触する点を接点とする。外装形状は、この接点を含む断面の形状が、曲面で、接点を起点として全方向に対し、平面から徐々に離れていく形状になっているのでエッジとなる部分が無く、長時間装着していても痛みは発生しなかったので○。
Eは皮膚表面と接触する形状が楕円の曲面であり、外装513が皮膚表面から徐々に離れていく構成になっているのでエッジとなる部分が無く、長時間装着していても痛みは発生しなかったので○。
Fは皮膚表面と接触する形状が円形であり、全方向に均等に圧力を分散できるので、痛みは全く発生せず、長時間装着していても全く気にならなかったので○。
【０１２５】
以上の検討の結果、外装513を平面の上に置いたとき、その外装513が平面と最初に接触する接点を通る断面の形状が、局面で、接点を起点として全方向に対し、徐々に平面から離れていく形状が一番良いといえる。
【０１２６】
図48は下固定部を靴下にセットした図を示す。2bは靴下などの厚手の布、 511はストッパ517の位置を固定するためのコードロック、 512はセットひも510を通すためのリング、513は外装を示した図である。
【０１２７】
図49は前図のA-A線断面図、B-B線断面図、C-C線断面図を示す。
A-A線断面図からは、靴下2bの先端部はリング512とコードロック511で固定されたセットひも510に阻まれて、これ以上先にはいけないことが解る。
B-B線断面図ではストッパ517とゴム板516で靴下2bをはさんでいる様子が見える。
C-C線断面図ではストッパ517が靴下2bに包まれる様子が伺える。
【０１２８】
図50ではコードロックの説明を詳細に行う。図50は図48のD-D線断面図を示す。511は517のストッパの位置を固定するためのコードロック、512はセットひも510を通すためのリング、513は外装、514はストッパ517が515の把持具本体に入りやすいようにするための入り口ガイド、516はくさび効果を向上させるためのゴム板、518はセットひも510と解除ひも520を519の接続リングに固定するためのかしめ、527はゴム板516を把持具本体515に貼り付けるための両面テープである。図50ではゲートは初めから設けなかった。それは靴下2bが厚いのでゲートが在ると、把持具本体515に挿入しにくいことが予想されたからである。そこでゲートの代わりにコードロック511を配置した。
【０１２９】
ゲートの目的は図19のAで示したように、ストッパへの張力が急に解除されたり、反対方向から力が加わった場合にストッパが本来あるべき位置からずれても、ストッパが把持具本体内で遊んでも、外に出て行かせないために在る。それゆえストッパへ張力がかかったときには、ゴム板との間に布を挟み込み、くさび効果でしっかりと把持することができる。
【０１３０】
そこで靴下2bのように厚いものの場合には、ストッパがくさび効果で布を挟んでいる位置にコードロックを使って、固定する方式も採用することにした。つまりストッパへ張力が急に印加されなくなっても、ストッパが把持具本体内で遊ぶことなく、くさび効果型把持の状態を保てるようにしたのである。
【０１３１】
コードロックを使って、図32に示したような把持具本体の開口幅とストッパの接続リングの高さと把持具本体天井の高さの関係を満たせば、厚い靴下2bのようなものでも簡単にセットでき、装着時に気にならない小型のくさび効果型把持具を作ることが出来るのである。
【０１３２】
図51はコードロックタイプのくさび効果型把持具の下固定部500の着脱の方法を説明したものである。図において、矢印は動作の方向を示している。  
【０１３３】
まず左手親指と人差し指でストッパ517を靴下2bのゴム部分でくるむようにしてつまむ。この状態で矢印Aの方向に靴下2bでくるんだストッパ517を把持具本体515の奥までしっかりと差し込む。この状態を維持しながら、右親指と人差し指でセットひも510を矢印Bの向きに強く引きストッパ517とゴム板516で靴下2bをくさび効果でしっかり把持させる。
【０１３４】
セットひも510ほ引いた状態を維持しながら、左手親指と人差し指でコードロック511を矢印Cの向きにリング512のところまでずらし、固定する。これでセット完了。靴下2bに包まれたストッパ517はコードロック511があることで装着者がどのような動きをしても、常にセットひも510から張力を受けることになり、くさびが解除されることは無くなる。
【０１３５】
ストッパ517を解除する場合は、コードロック511を矢印Dの向きに引っ張り、ストッパ517を矢印Eの向きに左手親指と人差し指で靴下2bのゴム部分でくるむようにし、つまんだ状態で引き出す。以上で解除完了。
【０１３６】
図52は本実施例のくさび効果型把持具を従来例の衣類端部位置維持制御装具に応用したものである、50は前把持具、70は後把持具、500は下固定部把持具を示している。
【０１３７】
2.60Kg重印加した時に、サスペンダークリップ201は木綿のシャツの裾からはずれた。このとき布の表面には引っかき傷が発生していた。一方くさび効果型把持具50では8.90Kg重印加したところでアルミ製のストッパ105が接続リング106を中心に二つに折れ、把持具本体101からはずれた。この時布の表面に引っかき傷等の変化は何も認められなかった。
【０１３８】
またくさび効果型把持具を従来例のシャツの衣類端部位置維持制御装具用い、2年間使用したが、耐久性にも全く問題が無かった。以上のことから本くさび効果型把持具は従来例のシャツの衣類端部位置維持制御装具に使えることがいえる。
【０１３９】
図53は、くさび効果型把持具をズボンのサスペンダーに利用した場合を示す。600はくさび効果型把持具、620はサスペンダーを示す。図のAは前を向いた場合、図Bは後ろを向いた場合を示す。このくさび効果型把持具は、2年間使用したが、耐久性にも全く問題が無かった。
【０１４０】
以上のことから、くさび効果型把持具はズボンの衣類端部位置維持制御装具のサスペンダークリップの代替が可能であると同時に、衣類端部位置維持制御装具の性能も向上させる事がわかった。
【０１４１】
図54はコードロックサスペンダーのくさび効果型把持具600の全体図である。601は把持具本体であり、その中央部は突起しており、その先端は90度に緩やかなカーブを描いて曲がっている。曲がった部分の中央部には621で示す穴が開いており、610で示すセットひもが貫通できるようになっている。
【０１４２】
611は617で示すストッパをくさび効果が発生する位置で固定するためのコードロックである。619は接続リングである.
図55はくさび効果型把持具をズボンのサスペンダーに使った場合の断面図である。 600はコードロックサスペンダーのくさび効果型把持具である。図中Aはシャツ、Bはズボン上端部、Cはベルト、Dはベルト通しの環、2ｃはズボンの布である。
【０１４３】
6は装着者の腰、601は把持具本体であり、中央部は突起しており、その先端は90度に緩やかなカーブを描いて曲がっている。曲がった部分の中央部には621で示す穴が開いており、610で示すセットひもが貫通できるようになっている。611は617で示すストッパをくさび効果が発生する位置で固定するためのコードロックである。614はズボン2cの布が把持具本体601にスムーズに入るための入り口ガイドである。619は接続リング、616はストッパ617とズボン2cの布を挟んで対峙することで、 くさび効果による把持力を強化するためのゴム板である。
【０１４４】
図56はコードロックサスペンダーのくさび効果型把持具600の平面図、正面図、側面図である。601は把持具本体であり、その中央部は突起しており、その先端は90度に緩やかなカーブを描いて曲がっている。曲がった部分の中央部には621で示す穴が開いており、610で示すセットひもが貫通できるようになっている。611は617で示すストッパをくさび効果が発生する位置で固定するためのコードロックである。614はズボン2cの布が把持具本体601にスムーズに入るための入り口ガイドである。619は接続リング、616はストッパ617とズボン2cの布を挟んで対峙することで、 くさび効果による把持力を強化するためのゴム板である。618はひも610を接続リング619に固定するためのカシメである。
【０１４５】
図57は前図に於けるA-A線断面図である。601は把持具本体であり、その中央部は突起しており、その先端は90度に緩やかなカーブを描いて曲がっている。曲がった部分の中央部には621で示す穴が開いており、610で示すセットひもが貫通できるようになっている。
611は617で示すストッパをくさび効果が発生する位置で固定するためのコードロックである。614はズボン2cの布が把持具本体601にスムーズに入るための入り口ガイドである。619は接続リング、616はストッパ617とズボン2cの布を挟んで対峙することで、くさび効果による把持力を強化するためのゴム板である。618はひも610を接続リング619に固定するためのカシメである。
【０１４６】
以上に示すような構成になっているので、コードロックサスペンダーのくさび効果型把持具600はズボン2cの端部の生地が厚い部分を避け、薄い部分でくさび効果による把持が出来るのである。
【０１４７】
その結果、くさび効果型把持具を使ったサスペンダーは衣類端部位置から離れたところにあってもくさび効果による強力な把持力を安定的に発生させることが出来ると同時に、コードロック611を動かすだけで、把持をセット及び解除できるといる非常に便利な機能も有している。
【０１４８】
図58は実施例1のその他の例である。ストッパ105の平面図、正面及びA-A線断面図を示している。ストッパ105にゴム板を配置した例を示す。図に於いて105はストッパ、106は接続リング、180は181のゴム板をストッパ105に固定させるための両面テープを示す。
このような構成になっているので、ストッパ105と把持具本体101の表面のゴム板との間にシャツ2aをはさんだ時に、より強力なくさび効果を発生させることが出来る。
【０１４９】
図59はくさび効果型把持具本体天井にゴム板を設置した場合の平面図、正面図、側面図を示す。541は平面図向かって右側の天井に設置したゴム板、542は左側に設置したゴム板を示す。
【０１５０】
図60は前図に於けるA-A線断面図である。 101は把持具の本体、102はゲート、104は床側ゴム板、105はストッパ、106は接続リング、107はセットひも、 2aはシャツ、542は天井ゴム板、543は両面テープを示す。
【０１５１】
図59、図60からも明らかなようにストッパ105をセットひも107で引っ張ることで、シャツ2aをはさんで所定の位置に配置することが出来る。このときのそれぞれの配置は図60に於いて、左側から順に把持具本体天井101、両面テープ543、天井ゴム板542、シャツ2a、ストッパ105、シャツ2a、床側ゴム板104、両面テープ111、把持具本体床101となる。
これらのものが把持具本体天井101と把持具本体床101の間でくさび効果によりしっかりとはさまれるので、天井ゴム板542が無い場合より、更に大きい把持力が発生するのである。
【０１５２】
ゲートや入り口ガイド、コードロック等のパーツの組み合わせは上記以外でも可能であることはいうまでも無い。図61はいままで開示してきた把持具のいろいろな部分の組み合わせの例の中から数例を示す。もちろんこれ以外にも組み合わせはある。
図中Aの101は把持具本体、102は突起ゲート、105はストッパ、107はセットひも、109はリング、143は入り口ガイドである。図中B、Cの511はコードロックである。
図中Aでは突起ゲート102と入り口ガイド143の組み合わせ、図中Bでは突起ゲート102とコードロック511の組み合わせ、図中Cではゲート無しでコードロック511のみの場合を示した。
【０１５３】
図62の450は副張力制御部のその他の実施例の正面図と側面図を示すものである。
455は繊維にゴム繊維を混ぜて編んだ幅30mm、厚さ2mmのゴムバンド。451は副張力制御部450をつるすナスカン、
452は雌合成樹脂バックル、453は雄合成樹脂バックル、
454はゴムバンド455を足に固定する保持ゴムバンド（不図示）をとめるための安全ピン。456は下固定部500につなげるための三角カン、457も同じ用途のナスカンである。
【０１５４】
このような構成になっているので装着者は身長に応じて雄合成樹脂バックルの調整部分でゴムバンド455を調節し、最適な張力を設定することが出来る。
【０１５５】
またここでもっとも重要なものは合成樹脂バックル452と453である。本発明の把持具は把持力が大きいので、万が一、シャツ2aに火が燃え移ったり、危険な化学薬品が付着したり、緊急に把持具を解除する必要性が発生しても、サスペンダークリップ201のように簡単に引きちぎるという訳にはいかない。
【０１５６】
そこでそのような緊急事態が発生した場合には、合成樹脂バックルなら、図中Aで示す解除部を、親指と人差し指で挟むだけの一動作で、衣類端部位置維持制御装具を解除できるのである。そして衣類端部位置維持制御装具を解除した後は通常の手順で必要に応じてシャツ2aを脱ぎ、靴下2ｂを脱げばよいのである。
【０１５７】
図63は靴下2bのゴム部が厚い場合、その部分を避けて把持具本体を装着する方法を示す断面図である。図中Aの部分は靴下2b上端部のゴム厚が大きくなっているところである。751は外装713が紛失するのを防ぐための留めひも、752はセットひも、703はリング、753は同じ一本のひもである留めひも751とセットひも752をリング703の所で固定するためのカシメである。
留めひも751はリング712を介して外装713とつながっている。754は留めひも751をリング712に固定するためのカシメである。757はストッパ717が756の把持具本体に入りやすいようにするための入り口ガイド、755は突起ゲート、711はくさび効果を向上させるためのゴム板、718はセットひも752を719の接続リングに固定するためのかしめである。
【０１５８】
図からも明らかなように、セットひも752はリング712を通らない構成をとっているので、把持具本体756は靴下2bの端部から離れたところに設置できるのである。また、把持具本体756は留めひも751でストッパ717とつながっているので、靴下2bから解除しても把持具本体756とストッパ717がばらばらになることは無いのである。このセットひも752がリング712を通らない方法は上側把持具50、60、70でも採用できるのはいうまでも無い。
【０１５９】
図64はセットひも752と留めひも751を使う場合、それぞれの長さの関係を説明するものである。
703はリング、753は同じ一本のひもである留めひも751とセットひも752をリング703の所で固定するためのカシメである。
留めひも751はリング712を介して外装713とつながっている。754は留めひも751をリング712に固定するためのカシメである。757はストッパ717が756の把持具本体に入りやすいようにするための入り口ガイド、718はセットひも752を719の接続リングに固定するためのかしめである。
【０１６０】
t1はリング712の留めひも751が固定されている部分の中心点と反対側の端部に在るカシメ753までの距離である。t2はセットひも752が固定されているリング703のカシメの位置からストッパ717の中心点までの距離である。ちなみに、このとき留めひも751とセットひも752はぴんと張られた状態でt1、t2を測定する。つぎに破線で示すストッパ717が把持具本体756に挿入できるリング712の中心点からガイド入り口までの最短距離をt3とする。
【０１６１】
このときt1、t2、t3、r3は次の関係を満たしていなければならない。
1）t1+t2-r1＞t3  かつ 
2）t1＞t2  
もし1）を満たしていないとストッパ717を把持具本体に挿入することが出来ない。同時に2）を満たしていないと、把持具本体756の方に多くの張力がかかり、ストッパ717がくさび効果が発揮できる位置から移動しやすくなってしまうからである。
【０１６２】
図65はコードロックのくさび効果型把持具800を下固定部に使用した時の全体図である。801は把持具本体であり、その中央部は突起しており、その先端は90度に緩やかなカーブを描いて曲がっている。曲がった部分の中央部には851で示す穴が開いており、810で示すセットひもが貫通できるようになっている。821は、アルミ製の直径が22.2mm、厚さが0.35mmの補助外装である。市販のくるみボタンセットとして販売されているものを使った。801で示す把持具本体に続く、突起部の長さは23.3mm、幅は7.8mmである。811は817で示すストッパをくさび効果が発生する位置で固定するためのコードロックである。819は接続リングであり813は外装である。821は把持具本体801の中央突起部が、足表面に当たらないようにするための補助外装である。
【０１６３】
図66は前図のコードロックのくさび効果型把持具800を図中Aの部分で示すように、ゴム部分が厚手の靴下2bにセットした時の断面図である。
【０１６４】
4は装着者の足、801は把持具本体であり、中央部は突起しており、その先端は90度に緩やかなカーブを描いて曲がっている。曲がった部分（5mm）の中央部には851で示す穴が開いており、810で示すセットひもが貫通できるようになっている。811は817で示すストッパをくさび効果が発生する位置で固定するためのコードロックである。813は外装である。821は把持具本体801の中央突起部が、足表面に当たらないようにするための補助外装である。814はズボン2cの布が把持具本体801にスムーズに入るための入り口ガイドである。819は接続リング、816はストッパ817とズボン2cの布を挟んで対峙することで、 くさび効果による把持力を強化するためのゴム板である。
【０１６５】
図67はコードロックのくさび効果型把持具800の平面図、正面図、側面図である。801は把持具本体であり、その中央部は突起しており、その先端は90度に緩やかなカーブを描いて曲がっている。曲がった部分の中央部には851で示す穴が開いており、810で示すセットひもが貫通できるようになっている。
【０１６６】
811は817で示すストッパをくさび効果が発生する位置で固定するためのコードロックである。813は外装、 821は把持具本体801の中央突起部が、足表面に当たらないようにするための補助外装、814はズボン2cの布が把持具本体801にスムーズに入るための入り口ガイドである。819は接続リング、816はストッパ817とズボン2cの布を挟んで対峙することで、 くさび効果による把持力を強化するためのゴム板である。818はひも810を接続リング819に固定するためのカシメである。
【０１６７】
図68は前図に於けるA-A線断面図である。801は把持具本体であり、その中央部は突起しており、その先端は90度に緩やかなカーブを描いて曲がっている。曲がった部分の中央部には851で示す穴が開いており、810で示すセットひもが貫通できるようになっている。
811は817で示すストッパをくさび効果が発生する位置で固定するためのコードロックである。813は外装、 821は把持具本体801の中央突起部が、足表面に当たらないようにするための補助外装、814はズボン2cの布が把持具本体801にスムーズに入るための入り口ガイドである。819は接続リング、816はストッパ817とズボン2cの布を挟んで対峙することで、くさび効果による把持力を強化するためのゴム板である。818はひも810を接続リング819に固定するためのカシメである。
【０１６８】
以上に示すような構成になっているので、コードロックのくさび効果型把持具800は靴下2bの端部のゴムが厚い部分を避け、薄い部分でくさび効果による把持が出来るのである。また補助外装は把持具本体突起部が足に当たるのを防ぐことができ、突起部が起因の痛みの発生を抑える効果がある。しかし把持具本体801の中央突起部が、足表面に当たらない程度の短さなら、補助外装は特に設置する必要はない。くさび効果型把持具はくさび効果による強力な把持力を安定的に発生させることが出来ると同時に、コードロック811をずらすだけで、把持をセット及び解除できるといる非常に便利な機能も有している。
【０１６９】
図69は517のストッパを580で表されるフックで固定するタイプのくさび効果型把持具である。512はセットひも510を通すためのリング、 513は外装、 514はストッパ517が515の把持具本体に入りやすいようにするための入り口ガイド、518はセットひも510と解除ひも520を519の接続リングに固定するためのかしめである。
【０１７０】
図70にフック580の平面図、正面図と側面図を示す。 aは鉄線で出来たフックの半径で2.7mm、581は操作レバーの部分で、その長さbは10mmである。cはカシメた後の外形で3.5mm、dは鉄線の直径で1.5mm、eは解除ひも520の線径で3.0mmである。
図からも明らかなようにフック580は解除ひも520にしっかりとかしめてあるのでその場所から動かない状態になっている。
【０１７１】
図71にっフック580の操作方法を示す。セットする時は、セットひも510を矢印Aの方向に強く引き、フック580をリング512に引っ掛ける。  こうすることでストッパ517はくさび効果型把持の定位置から動くことが出来なくなり、強い把持力が維持される。
解除する時は、解除ひも520を矢印Bの方向に引きながら、操作レバー581を矢印Cの方向に押してやれば容易に解除できる。
【０１７２】
図72に於いて、700は初期に検討したタイプの下固定部である。701はナスカン、702はより戻し、703はナスカン、704は三角カン、705は合成樹脂テープアジャスター、706は雄面ファスナー、 この雄面ファスナーの幅をL1と定義する、 707はあしを踏み掛ける部分であるところのあぶみ、 708は雌面ファスナー。この雌面ファスナーの雄面と重なる四角形の最大辺の長さをL2と定義する。709は面ファスナーをセット、解除する時に使うタブである。
【０１７３】
図73は下固定部700を実装した時の図である。
図は下固定部ベルト700を装着した例を示す。701はナスカン、702はより戻し、703はナスカン、 704は三角カン、 705は合成樹脂テープアジャスター、 706は雄面ファスナー、この雄面ファスナーの幅をL1と定義する、 707はあしを踏み掛ける部分であるところのあぶみ、708は雌面ファスナー。この雌面ファスナーの雄面と重なる四角形の最大辺の長さをL2と定義する。709はあぶみ707を解除する時のタブである
【０１７４】
この図からも明らかなようにL1＝L2なので、十分に広い面積で雄と雌の面ファスナーが対峙することが出来ない。その結果、あぶみ707は雄面ファスナー706からすぐはずれてしまい課題となっていた。
【０１７５】
以上の結果を踏まえ、本図74は下側を靴下で留めるのでなく、560で示す下固定部ベルトで固定しかつ容易に解除できない下固定部を提案する。その一例を示す。561はナスカン、562はより戻し、563はナスカン、 564は三角カン、 565は合成樹脂テープアジャスター、566は雄面ファスナー、この雄面ファスナーの幅をL1と定義する、 567は麻で出来た幅15mm、厚さ330μmのあぶみ、 568は雌面ファスナーで幅は15mm、長さは60mm。この雌面ファスナーの雄面と重なる四角形の最大辺の長さをL2と定義する。569はあぶみ留め、570は下固定部ベルト760を左右兼用にするためにあぶみ留め569を回転できるようにするための回転軸、571はあぶみ留め569の片端にあるあぶみ留め569を解除する時のタブである
【０１７６】
図75は前図のA-A線断面図である。561はナスカン、562はより戻し、563はナスカン、 564は三角カン、 565は合成樹脂テープアジャスター、566は雄面ファスナーである。
【０１７７】
このような構成になっているので、下固定部ベルト560は合成樹脂テープアジャスター565により、長さを調節することが出来るのである。
【０１７８】
図76は別の角度から見た下固定部ベルト560である。564は三角カン、565は合成樹脂テープアジャスター、566は雄面ファスナー、この雄面ファスナーの幅をL1と定義する、 567はあしを踏み掛ける部分であるところのあぶみ、 568は雌面ファスナー。この雌面ファスナーの雄面と重なる四角形の最大辺の長さをL2と定義する。569はあぶみ留め。
【０１７９】
図77は下固定部ベルト560を装着した例を示す。561はナスカン、562はより戻し、563はナスカン、 564は三角カン、 565は合成樹脂テープアジャスター、 566は雄面ファスナー、この雄面ファスナーの幅をL1と定義する、 567はあしを踏み掛ける部分であるところのあぶみ、568は雌面ファスナー。この雌面ファスナーの雄面と重なる四角形の最大辺の長さをL2と定義する。569はあぶみ留め、570は下固定部べると760を左右兼用にするためにあぶみ留め569を回転できるようにするための回転軸である。このとき下固定部ベルト560を左右兼用にする必要が無い場合は、回転軸は必要なく、あぶみ567の端部にほぼ直角に、あぶみ留め569の中心部を縫い付ける等して、固定すればよい。571はあぶみ留め569の片端にあるあぶみ留め569を解除する時のタブである。
回転軸570がちょうどくるぶしの下のあたりに来るようにあぶみ569をセットすると、下固定部560が足に馴染むよう装着する事が出来、長時間装着していてもずれることは無い。
【０１８０】
この図からも明らかなようにL1＞W2なので十分に広い面積で雄と雌の面ファスナーが対峙できる。その結果、あぶみ止め569が雄面ファスナー566からはずれることは無くなった。
【０１８１】
図78は足の大きな人や背の高い人が下固定部ベルト560を装着した例である。561はナスカン、562はより戻し、563はナスカン、 564は三角カン、 565は合成樹脂テープアジャスター、 566は雄面ファスナー、この雄面ファスナーの幅をL1と定義する、 567はあしを踏み掛ける部分であるところのあぶみ、568は雌面ファスナー。569はあぶみ留め、570は下固定部べると760を左右兼用にするためにあぶみ留め569を回転できるようにするための回転軸である。571はあぶみ留め569の片端にあるあぶみ留め569を解除する時のタブである。
【０１８２】
当然なことながら足の大きな人や背の高い人が着用した場合、あぶみ567は破線572で示す位置から上のほうにシフトするが、回転軸570をくるぶしの位置に持ってくることは可能である。その結果、足の大きな人でも下固定部560が足に馴染むよう装着する事が出来、長時間装着していてもずれることは無い。
【０１８３】
図79は630のくさび効果型把持具をズボンのずれ落ち防止のために、サスペンダーとして用いた一例である。
6は装着者の腰である。図中Aの部分はシャツ2a、図中Bの部分はズボンの上端部の生地が厚くなっているところである。図中Cはベルト、図中Dはベルト通しである。641は外装633が紛失するのを防ぐための留めひも、642はセットひも、648はリング、643は同じ一本のひもである留めひも641とセットひも642をリング648の所で固定するためのカシメである。
留めひも641はリング632を介して外装633とつながっている。644は留めひも641をリング632に固定するためのカシメである。647はストッパ637が646の把持具本体に入りやすいようにするための入り口ガイド、645は突起ゲート、631はくさび効果を向上させるためのゴム板、638はセットひも642を639の接続リングに固定するためのかしめである。
【０１８４】
図からも明らかなように、セットひも642はリング632を通らない構成をとっているので、把持具本体646はズボン2cの端部から離れたところに設置できるのである。また、把持具本体646は留めひも641でストッパ637とつながっているので、ズボン2cから解除しても把持具本体646とストッパ637がばらばらになることは無いのである。
【０１８５】
このセットひも642がリング632の中を通らない方法は上側把持具50、60、70でも採用できるのはいうまでも無い。
【０１８６】
図80は630のくさび効果型把持具をズボンのずれ落ち防止のために、サスペンダーとして用いた一例である前図との違いは、外装633が無いことだけである。ズボンのサスペンダーに用いる時は、把持具本体630が直接腰6に当たる事は無いく、必ずシャツ2aや他の下着を介することになるので、必ずしも外装633は必要ない場合もある。以下にその詳細を説明する。
【０１８７】
6は装着者の腰である。図中Aの部分はシャツ2a、図中Bの部分はズボンの上端部の生地が厚くなっているところである。図中Cはベルト、図中Dはベルト通しである。641は外装633が紛失するのを防ぐための留めひも、642はセットひも、648はリング、643は同じ一本のひもである留めひも641とセットひも642をリング648の所で固定するためのカシメである。留めひも641はリング632とつながっている。644は留めひも641をリング632に固定するためのカシメである。647はストッパ637が646の把持具本体に入りやすいようにするための入り口ガイド、645は突起ゲート、631はくさび効果を向上させるためのゴム板、638はセットひも642を639の接続リングに固定するためのかしめである。
【０１８８】
図からも明らかなように、セットひも642はリング632の中を通らない構成をとっているので、把持具本体646はズボン2cの端部から離れたところに設置できるのである。また、把持具本体646は留めひも641でストッパ637とつながっているので、ズボン2cから解除しても把持具本体646からストッパ637が離れて紛失することは無いのである。
【符号の説明】
【０１８９】
1     張力調整用のひも
50    前把持具
60    横把持具
70    後把持具
100  上把持部
101  把持具の本体
102  突起ゲート
103  入り口
104  ゴム板
105  ストッパ
105  接続リング
143  入り口ガイド
200  主張力制御部
203  張力調整用コードロック
300  連結部
400  副張力制御部
500  下固定部
511  コードロック
513  外装
【図１】
2019119969.tif 000003
【図２】
2019119969.tif 000004
【図３】
2019119969.tif 000005
【図４】
2019119969.tif 000006
【図５】
2019119969.tif 000007
【図６】
2019119969.tif 000008
【図７】
2019119969.tif 000009
【図８】
2019119969.tif 000010
【図９】
2019119969.tif 000011
【図１０】
2019119969.tif 000012
【図１１】
2019119969.tif 000013
【図１２】
2019119969.tif 000014
【図１３】
2019119969.tif 000015
【図１４】
2019119969.tif 000016
【図１５】
2019119969.tif 000017
【図１６】
2019119969.tif 000018
【図１７】
2019119969.tif 000019
【図１８】
2019119969.tif 000020
【図１９】
2019119969.tif 000021
【図２０】
2019119969.tif 000022
【図２１】
2019119969.tif 000023
【図２２】
2019119969.tif 000024
【図２３】
2019119969.tif 000025
【図２４】
2019119969.tif 000026
【図２５】
2019119969.tif 000027
【図２６】
2019119969.tif 000028
【図２７】
2019119969.tif 000029
【図２８】
2019119969.tif 000030
【図２９】
2019119969.tif 000031
【図３０】
2019119969.tif 000032
【図３１】
2019119969.tif 000033
【図３２】
2019119969.tif 000034
【図３３】
2019119969.tif 000035
【図３４】
2019119969.tif 000036
【図３５】
2019119969.tif 000037
【図３６】
2019119969.tif 000038
【図３７】
2019119969.tif 000039
【図３８】
2019119969.tif 000040
【図３９】
2019119969.tif 000041
【図４０】
2019119969.tif 000042
【図４１】
2019119969.tif 000043
【図４２】
2019119969.tif 000044
【図４３】
2019119969.tif 000045
【図４４】
2019119969.tif 000046
【図４５】
2019119969.tif 000047
【図４６】
2019119969.tif 000048
【図４７】
2019119969.tif 000049
【図４８】
2019119969.tif 000050
【図４９】
2019119969.tif 000051
【図５０】
2019119969.tif 000052
【図５１】
2019119969.tif 000053
【図５２】
2019119969.tif 000054
【図５３】
2019119969.tif 000055
【図５４】
2019119969.tif 000056
【図５５】
2019119969.tif 000057
【図５６】
2019119969.tif 000058
【図５７】
2019119969.tif 000059
【図５８】
2019119969.tif 000060
【図５９】
2019119969.tif 000061
【図６０】
2019119969.tif 000062
【図６１】
2019119969.tif 000063
【図６２】
2019119969.tif 000064
【図６３】
2019119969.tif 000065
【図６４】
2019119969.tif 000066
【図６５】
2019119969.tif 000067
【図６６】
2019119969.tif 000068
【図６７】
2019119969.tif 000069
【図６８】
2019119969.tif 000070
【図６９】
2019119969.tif 000071
【図７０】
2019119969.tif 000072
【図７１】
2019119969.tif 000073
【図７２】
2019119969.tif 000074
【図７３】
2019119969.tif 000075
【図７４】
2019119969.tif 000076
【図７５】
2019119969.tif 000077
【図７６】
2019119969.tif 000078
【図７７】
2019119969.tif 000079
【図７８】
2019119969.tif 000080
【図７９】
2019119969.tif 000081
【図８０】
2019119969.tif 000082
【図８１】
2019119969.tif 000083
【図８２】
2019119969.tif 000084
【図８３】
2019119969.tif 000085
【図８４】
2019119969.tif 000086
【図８５】
2019119969.tif 000087
【図８６】
2019119969.tif 000088
【図８７】
2019119969.tif 000089
【図８８】
2019119969.tif 000090
【図８９】
2019119969.tif 000091
【図９０】
2019119969.tif 000092
【図９１】
2019119969.tif 000093
【図９２】
2019119969.tif 000094
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
シャツの裾を把持する前把持具、横把持具、後把持具からなる上把持部、該上把持部に連結され、張力を調整するためのコードロックを備える主張力制御部、主張力制御部と副張力制御部とを連結し、リングとより戻しからなる連結部、下固定部に連結され、雄面ファスナー及び雌面ファスナーを備えたゴムバンドからなり、雄面ファスナーと雌面ファスナーの位置を調節し、最適な張力を設定する副張力制御部、靴下を把持し把持具本体、把持具本体のテーパ状の入り口部を有する開口部、入り口部から挿入され、把持具本体に係止されるストッパからなる下固定部から成り、上記、上把持部または下固定部は、把持具本体と開口部、開口部に連続し、入り口部にあるゲート、ストッパから構成され、入り口から端部にかけて天井がテーパー状に狭くなっている把持具本体に於いて、把持具本体の床からゲートの先端までの高さが、床からストッパの先端までの高さより高いこと、または把持具本体と開口部、入り口部、ストッパ、コードロックから構成され、入り口から端部にかけて天井がテーパー状に狭くなっている把持具本体に於いて、ストッパをコードロックで固定すること、または把持具本体の入り口にガイドを設置すること、または下固定部を平面の上に置いたとき、その外装が平面と最初に接触する点を接点とし、接点を含む断面の形状が、曲面で、接点を起点として全方向に対し、平面から徐々に離れていく外装形状であることのうち、少なくとも一つを特徴とするくさび効果型把持具から構成されることを特徴とする衣類端部位置維持制御装具。
【請求項２】
請求項1に記載のくさび効果型把持具於いて、W1をストッパの左端から、接続リングのリング径を含んだ右端までの距離、W2を開口の幅、h1を接続リングの高さ。h2をテーパー状天井の最大の高さとしたときに下記の条件を満たすことを特徴とする、衣類端部位置維持制御装具。
W1＞W2かつh1＞h2
【請求項３】
請求項1に記載のくさび効果型把持具於いて、留めひもの長さをt1、セットひもの長さをt2とし、ストッパの半径をr1、ストッパが把持具本体に挿入可能なリングの中心点からガイド入り口までの最短距離をt3とした時、下記の条件を満たすことを特徴とする、衣類端部位置維持制御装具。
t1+t2-r1＞t3  かつ t1＞t2  
【請求項４】
請求項1に記載の衣類端部位置維持制御装具であって、一箇所で同時に上把持部の全部の把持具本体に印加される張力を調整することが可能なことを特徴とする、衣類端部位置維持制御装具。
【請求項５】
請求項1に記載の衣類端部位置維持制御装具であって、把持部の個数を増減する事が可能であることを特徴とする、衣類端部位置維持制御装具。
【請求項６】
請求項1に記載の衣類端部位置維持制御装具であって、装具の少なくとも一箇所に、一動作で衣類端部位置維持制御装具を解除する機構を備えることを特徴とする、衣類端部位置維持制御装具。
【請求項７】
請求項1に記載の衣類端部位置維持制御装具であって、下固定部はTの文字の形をしたベルトであり、縦ベルトと横ベルトに雌雄が相反する面ファスナーがそれぞれに設置されており、縦ベルトが横ベルトの面ファスナーと重なる幅をL1、横ベルトが縦ベルトの面ファスナーと重なり作る長方形の最大辺の長さをL2とした時に下記の条件を満たすことを特徴とする、衣類端部位置維持制御装具。
L2＞L1
【請求項８】
請求項1に記載の衣類端部位置維持制御装具であって、主張力制御部のひもの両端部に把持具本体を配置する事を特徴とする衣類端部位置維持制御装具。
【請求項９】
請求項1に記載の衣類端部位置維持制御装具であって、サスペンダーに連結された把持具本体の中央部に先端部が屈曲し、穴の開いた突起部があり、その穴を貫通したセットひもが、突起部でコードロックを使いズボンの端部の位置決めをするくさび効果型把持具から構成されることを特徴とする衣類端部位置維持制御装具。